(57)【要約】【課題】  水漏れ防止効果に施工によるばらつきが生じず、耐久性に優れ、配管を安定した状態で固定できる配管立上げ構造を提供すること。【解決手段】  洗い場側フロア１６の穴部１６ａに固定部材３４を取り付け、この固定部材３４で給湯管２３を起立させて支持することにより配管立上げ構造２０を構成した。この場合、穴部１６ａに、内部に給湯管２３を通した固定部材３４を取り付け、その給湯管２３と固定部材３４との間の空間部２７ｅに弾性シール部材３０を入れた。そして、挿通穴２９ｂに給湯管２３を挿通させた蓋部材２９を固定部材３４の上端部に螺合させて、弾性シール部材３０を圧縮させた状態で給湯管２３を起立状態で固定した。また、固定部材３４の下端部には、弾性シール部材３０の下端部を支持するための係止用段部２７ａを設け、弾性シール部材３０の上下にはそれぞれワッシャー３１，３２を設けた。【選択図】  図３
2005113665.tif 000002
【特許請求の範囲】
【請求項１】
床面部に設けられた穴部に配管を通し、前記穴部の周縁部と前記配管の外周部との間を塞いだ状態で前記配管を前記床面部上に起立させて支持する配管立上げ構造であって、
前記穴部の周縁部に密着した状態で前記穴部に取り付けられ、内部に前記配管を通すことができるとともに、前記配管との間に空間部を形成する固定部材と、
前記配管を通すことができる挿通穴を備え、前記挿通穴に前記配管を挿通させた状態で前記固定部材の上端部に螺合できる蓋部材と、
前記空間部内に配置され、前記蓋部材を前記固定部材に螺合させる際に、前記蓋部材によって前記固定部材および前記配管に押し付けられて、前記固定部材と前記配管との間および前記蓋部材と前記配管との間を閉塞する圧縮可能な弾性シール部材と
を備えたことを特徴とする配管立上げ構造。
【請求項２】
前記固定部材の内周面に前記弾性シール部材を係止するための係止用段部を設けた請求項１に記載の配管立上げ構造。
【請求項３】
前記空間部における前記係止用段部の上面および前記弾性シール部材の上面の少なくとも一方に前記空間部の平面形状と略同形のリング状のワッシャーを設けた請求項２に記載の配管立上げ構造。
【請求項４】
前記弾性シール部材を、複数個の塊状体で構成した請求項１ないし３のうちのいずれか一つに記載の配管立上げ構造。
【請求項５】
前記弾性シール部材を、前記配管の外周部の周囲に沿って取り付け可能なリング状のチューブで構成した請求項１ないし３のうちのいずれか一つに記載の配管立上げ構造。
【請求項６】
前記弾性シール部材を、前記配管の外周部の周囲に沿って取り付け可能な蛇腹状の円筒体で構成した請求項１ないし３のうちのいずれか一つに記載の配管立上げ構造。
【請求項７】
前記配管を前記床面部の下側から上方に向かって延びる下部配管と、前記床面部の上側に設置される上部配管とで構成して、前記下部配管の上端部と前記上部配管の下端部とを継手を用いて連結するとともに、前記継手を前記蓋部材の上側に位置させ、前記下部配管における前記蓋部材よりも上方に位置する部分と前記継手とを被覆した状態で、前記下部配管の上部と前記継手とを前記蓋部材側部分に固定する振れ止めカバーを設けた請求項１ないし６のうちのいずれか一つに記載の配管立上げ構造。
【請求項８】
前記振れ止めカバーを、円筒体を軸方向に沿って二分割した形状の一対の略半円筒状部材で構成した請求項７に記載の配管立上げ構造。
【請求項９】
前記略半円筒状部材における軸方向に沿った端面の一方に係合突部を設けるとともに、他方に係合凹部を設け、前記係合突部と前記係合凹部とを係合させることにより、前記一対の略半円筒状部材を組み付けて円筒状に形成した請求項８に記載の配管立上げ構造。
【請求項１０】
前記一対の略半円筒状部材の端面間に、シール部材を設けた請求項８または９に記載の配管立上げ構造。
【請求項１１】
前記継手と前記振れ止めカバーとの間に、シール部材を設けた請求項７ないし１０のうちのいずれか一つに記載の配管立上げ構造。
【発明の詳細な説明】
【技術分野】
【０００１】
本発明は、床面部に設けられた穴部を挿通して屋外側から屋内に延びる配管を床面部上で起立させた状態で支持する配管立上げ構造に関する。
【背景技術】
【０００２】
従来から、浴室、トイレ、洗面所、台所等の屋内の各場所には、水や湯を取り出すための水栓や取水口が設けられている。この水栓等は、屋外に設けられた水供給用の水道管から分離して屋内に水を供給するための配管に接続されており、この配管は床面部に設けられた穴部を通過して所定の場所まで延ばされている。このような配管としては、施工性や価格の面から一般に可撓性を有し安価な樹脂製の管が使用されている。
【０００３】
そして、配管における床面部の穴部に位置する部分は、穴部の周縁部との間に防水構造が設けられて水漏れが生じないようにされた状態で、床面部上に起立した姿勢で固定されている。このような配管の起立姿勢での固定と床面部に設けた穴部の水漏れ防止ができる配管立上げ構造として、ゴムパッキンとホースバンドとを用いたものがある（例えば、特許文献１参照）。
【０００４】
この配管立上げ構造では、床面部に設けた穴部に、配管挿通用の挿通穴を有するゴムパッキンを取り付け、配管の先端部を床面部の穴部とゴムパッキンの挿通穴とに通して床面部の上方に突出させている。そして、配管の外周部にゴムパッキンの挿通穴の近傍部分を巻き付け、その部分をホースバンドで締め付けることによって、配管を起立させた状態でゴムパッキンに固定している。
【特許文献１】特開平１０−１５２８７３号公報
【発明の開示】
【０００５】
しかしながら、前述した従来の配管立上げ構造では、ホースバンドを取り付ける施工によって水漏れ防止効果にばらつきが生じ易いという問題がある。また、ゴムパッキンで配管を支持するためゴムパッキンに掛かる負担が大きくなり、長期間の使用により水漏れが生じることがあるという耐久性の問題もある。また、ゴムパッキンで配管を支持するため安定した状態で配管を固定することが難しい。このため、ゴムパッキンが配管の重量等によって下方に引っ張られると、ゴムパッキンが凹んでしまい、その凹みに水が溜まることがある。この結果、ゴムパッキンに汚れが生じやすくなるという問題もある。
【０００６】
本発明は、上記問題に対処するためになされたもので、その目的は、水漏れ防止効果に施工によるばらつきが生じず、耐久性に優れ、配管を安定した状態で固定できる配管立上げ構造を提供することである。
【０００７】
上記の目的を達成するため、本発明にかかる配管立上げ構造の構成上の特徴は、床面部に設けられた穴部に配管を通し、穴部の周縁部と配管の外周部との間を塞いだ状態で配管を床面部上に起立させて支持する配管立上げ構造であって、穴部の周縁部に密着した状態で穴部に取り付けられ、内部に配管を通すことができるとともに、配管との間に空間部を形成する円筒状の固定部材と、配管を通すことができる挿通穴を備え、挿通穴に配管を挿通させた状態で固定部材の上端部に螺合できる蓋部材と、空間部内に配置され、蓋部材を固定部材に螺合させる際に、蓋部材によって固定部材および配管に押し付けられて、固定部材と配管との間および蓋部材と配管との間を閉塞する圧縮可能な弾性シール部材とを備えたことにある。
【０００８】
前記のように構成した本発明の配管立上げ構造では、内部に配管を通すとともに、配管との間に弾性シール部材を設置するための空間部を形成する固定部材を床面部の穴部に密着状態で取り付けている。そして、その状態の固定部材の上端部に、配管を挿通穴に挿通させた蓋部材を螺合させている。すなわち、この配管立上げ構造では、配管における床面部を貫通する部分を固定部材と蓋部材とで覆っている。そして、圧縮可能な弾性シール部材を配管と固定部材との間に形成された空間部内に設け、固定部材と配管との間および蓋部材と配管との間を閉塞している。
【０００９】
この弾性シール部材は、蓋部材を固定部材に螺合させる際に、蓋部材と固定部材とによって上下方向に押し付けられるとともに、配管の外周面および固定部材の内周面に強く押し付けられて固定部材と配管との間および蓋部材と配管との間を閉塞する。これによって、配管と、固定部材および蓋部材との間からの水漏れが防止される。また、この場合の弾性シール部材の取り付けは、配管と固定部材との間の空間部に弾性シール部材を配置して、固定部材に蓋部材を螺合させるだけであるため容易であるとともに、施工によって水漏れ防止効果にばらつきが生じることがない。
【００１０】
さらに、弾性シール部材は、配管と固定部材との間の空間部内に配置された状態で、蓋部材によって押されて圧縮された状態で固定部材と配管との間および蓋部材と配管との間を閉塞するため、配管の大きさに関係なくどのような固定部材を用いても良好な水漏れ防止効果を発揮し得る。このため、固定部材の内径を最大サイズの配管に取り付けることができる大きさに設定しておけば、固定部材は一種類のものだけを用意すれば済む。
【００１１】
また、床面部の穴部は、穴部の周縁部に密着した状態で取り付けられた固定部材によって閉塞されるため、この部分からの水漏れも防止される。この場合の固定部材としては、例えば、穴部の周縁部上面に係合可能なフランジ状の突部を備えた円筒部と、円筒部の突部とで穴部の周縁部を挟んだ状態で円筒部の下端部に螺合可能なリング状のねじとで構成される部材を用いることができる。そして、穴部の周縁部と突部との間および穴部の周縁部とリング状のねじとの間にはシール材を取り付けておくことが好ましい。これによって、穴部の周縁部と固定部材との間をより確実にシールすることができる。
【００１２】
また、この配管立上げ構造によると、配管は圧縮された弾性シール部材によってシールされた状態で固定部材と蓋部材とによって支持されるため、配管を安定した状態で固定できる。このため、この配管立上げ構造の耐久性が向上し、その結果、低コスト化が可能になる。
【００１３】
また、本発明にかかる配管立上げ構造の他の構成上の特徴は、固定部材の内周面に弾性シール部材を係止するための係止用段部を設けたことにある。これによると、弾性シール部材は、下端部を係止用段部に係止させた状態で上端部が蓋部材によって下方に押し付けられるため、空間部内で安定した姿勢を維持するようになる。このため効果的なシールが長期間にわたって行える。
【００１４】
本発明にかかる配管立上げ構造のさらに他の構成上の特徴は、空間部における係止用段部の上面および弾性シール部材の上面の少なくとも一方に空間部の平面形状と略同形のリング状のワッシャーを設けたことにある。これによると、蓋部材を固定部材に螺合させる際に、弾性シール部材にかかる上下方向の押圧力を弾性シール部材全体にわたって均一な状態にすることができる。これによって、配管の外周面と弾性シール部材との密着性が全体に均一になりより効果的なシールが可能になる。この場合、ワッシャーを半円状の部材を組み合わせてリング状に形成することもできる。これによると、配管が蓋部材からさらに長く上方に延びる場合等におけるワッシャーの取り付けが極めて容易になる。
【００１５】
本発明にかかる配管立上げ構造のさらに他の構成上の特徴は、弾性シール部材を、複数個の塊状体で構成したことにある。この場合の塊状体とは、だんご状や粒状などの形状をした塊りであり、軟質ゴム、スポンジ、プラスチックなどで構成することができる。これによると、弾性シール部材の設置が容易になる。また、各塊状体が不規則に並んで配置されるため、軽く押圧しただけでも弾性シール部材の内部には、連続して繋がる水路は形成され難くなる。このためより確実なシールができる。
【００１６】
本発明にかかる配管立上げ構造のさらに他の構成上の特徴は、弾性シール部材を、配管の外周部の周囲に沿って取り付け可能なリング状のチューブで構成したことにある。これによると、弾性シール部材を配管に巻き付けた状態でその上端部を蓋部材で押し付けると、弾性シール部材は、周囲が密閉された状態の円柱状になるため、より効果的なシールができる。また、弾性シール部材を、配管の外周部の周囲に沿って取り付け可能な蛇腹状の円筒体で構成することもできる。
【００１７】
この場合、弾性シール部材を構成する材料としては、伸縮性や弾性を有するプラスチックやゴムを使用することが好ましく、これによっても効果的なシールができる。また、弾性シール部材をチューブや蛇腹状の円筒体で構成する場合には、その周面にグリス等の潤滑剤を塗布しておくことが好ましい。これによって、滑りやすくなって弾性シール部材の設置が容易になるとともに、シール性が増すようになる。
【００１８】
本発明にかかる配管立上げ構造のさらに他の構成上の特徴は、配管を床面部の下側から上方に向かって延びる下部配管と、床面部の上側に設置される上部配管とで構成して、下部配管の上端部と上部配管の下端部とを継手を用いて連結するとともに、継手を蓋部材の上側に位置させ、下部配管における蓋部材よりも上方に位置する部分と継手とを被覆した状態で、下部配管の上部と継手とを蓋部材側部分に固定する振れ止めカバーを設けたことにある。
【００１９】
これによると、床面部上で不用意に配管が振れたり上下に動いてしまったりすることがなくなり、配管に捩れや擦れが生じて亀裂が生じ漏水が発生するといったことが防止される。この場合、継手としては周面に凹凸が形成されたものを用い、振れ止めカバーの内周面には、継手の凹凸に係合可能な係合部を形成することが好ましい。これによって振れ止めカバーがより確実に継手と係合するようになり、配管の振れや上下の動きを確実に防止できる。また、この場合の蓋部材側部分は、蓋部材だけでなく、固定部材および床面部も含むものとする。
【００２０】
本発明にかかる配管立上げ構造のさらに他の構成上の特徴は、振れ止めカバーを、円筒体を軸方向に沿って二分割した形状の一対の略半円筒状部材で構成したことにある。これによると、各略半円筒状部材をそれぞれ継手および配管を両側から挟むようにして取り付けることができるため、振れ止めカバーの取り付け作業が容易になる。
【００２１】
本発明にかかる配管立上げ構造のさらに他の構成上の特徴は、略半円筒状部材における軸方向に沿った端面の一方に係合突部を設けるとともに、他方に係合凹部を設け、係合突部と係合凹部とを係合させることにより、一対の略半円筒状部材を組み付けて円筒状に形成したことにある。この場合の係合突部と係合凹部とは、係合凹部内に係合突部を押し込むことにより強固に係合するもので構成することが好ましい。これによると、振れ止めカバーの取り付けが極めて容易になるとともに、その取り付けが確実になる。
【００２２】
本発明にかかる配管立上げ構造のさらに他の構成上の特徴は、一対の略半円筒状部材の端面間に、シール部材を設けたことにある。これによると、固定部材内に設けられた弾性シール部材だけでなく、振れ止めカバーの内部も止水できるようになり、二重の止水構造になる。これによって、より確実な止水が可能になる。シール部材としては、シート状の部材や線状の部材を用いることができ、シート状の部材を用いる場合には、対向する端面の少なくとも一方に突条等の突部を設けることが好ましい。これによると、突条等でシート状のシール部材が端面に押し付けられるようになり確実なシールが可能になる。
【００２３】
本発明にかかる配管立上げ構造のさらに他の構成上の特徴は、継手と振れ止めカバーとの間に、シール部材を設けたことにある。これによると、継手と振れ止めカバーとの間を確実にシールすることができる。この場合のシール部材としては、例えば、Ｏリングを用いることができる。
【発明を実施するための最良の形態】
【００２４】
（第１実施形態）
以下、本発明の第１実施形態を図面を用いて説明する。図１は、同実施形態にかかる配管立上げ構造を備えた浴室１０を示しており、図２は、浴室１０における配管立上げ構造２０の近傍部分を示している。この浴室１０では、壁パネル１１に窓１１ａが設けられており、床部における窓１１ａ側部分に浴槽１２が設置されている。そして、浴槽１２の左右（図１では前後）の側面は、それぞれ壁パネル（図示せず）と壁パネル１３ａとに接面している。また、壁パネル１１に対向する部分には、出入用扉（図示せず）を有する壁パネル１３ｂが設けられ、天井部はドーム状の天井パネル１４で構成されている。
【００２５】
浴槽１２は、図２に示すように、浴槽側フロア１５の上面に設置されている。そして、浴槽側フロア１５の長手方向に沿った一方の縁部には、本発明の床面部としての洗い場側フロア１６が接続されている。また、洗い場側フロア１６の上面における壁パネル１３ａに沿った部分にカウンター１７が設けられ、カウンター１７の上方の壁面に鏡１８や収容棚１９等が設けられている。カウンター１７は、浴槽１２の上面部１２ａと略等しい高さに設定されている。
【００２６】
これらの浴室１０を構成する浴槽１２、浴槽側フロア１５および洗い場側フロア１６等の各部分の本体部分は、それぞれ樹脂の成形体で構成されている。また、浴槽１２の上面部１２ａにおけるカウンター１７側の角部には、浴槽１２内に湯や水を取り出すための水栓２１が設けられ、カウンター１７の上方の壁面における鏡１８の下方には、カウンター１７で使う湯や水を取り出すための水栓２２が設けられている。
【００２７】
そして、洗い場側フロア１６におけるカウンター１７の下方部分には、水栓２１，２２に湯や水を供給するための本発明の配管としての給湯管２３および給水管２４を支持する配管立上げ構造２０がそれぞれ設けられている。給湯管２３および給水管２４は、ともに可撓性を有する樹脂製の管で構成されており、分配装置（図示せず）を介して屋外に設けられた水道管に連通している。そして、給湯管２３の通路内には加熱装置（図示せず）が設けられており、分配装置を介して水道管から送られる水は、この加熱装置を通過して加熱され給湯管２３を介して水栓２１，２２に供給される。また、給水管２４は、分配装置を介して水道管から送られる水を直接水栓２１，２２に供給する。
【００２８】
給湯管２３は、洗い場側フロア１６に設けられた穴部（図３参照）１６ａを通って洗い場側フロア１６の下方から上方に突出したところで継手２５に接続されている。継手２５は、給湯管２３と略等しい直径に設定された円筒部２５ａと円筒部２５ａの下端外周部に形成されたフランジ状の突起２５ｂとで構成されており、円筒部２５ａの内周面下部側には雌ねじ（図示せず）が設けられている。また、給湯管２３の上端部は細径に形成され、その細径部（図示せず）の外周面に継手２５の雌ねじと螺合する雄ねじが設けられている。このねじ同士の螺合により、給湯管２３と継手２５とは接続されている。
【００２９】
継手２５の上端部は、三方に分岐したＴ型継手２６ａの一方の開口に接続されている。そして、Ｔ型継手２６ａの他の２個の開口にそれぞれ分岐給湯管２３ａ，２３ｂが接続され、分岐給湯管２３ａの先端部が水栓２１に接続され、分岐給湯管２３ｂの先端部が水栓２２に接続されている。また、給水管２４も同様に継手２５および三方に分岐したＴ型継手２６ｂを介して分岐給水管２４ａ，２４ｂに接続されている。
【００３０】
そして、分岐給水管２４ａの先端部が水栓２１に接続され、分岐給水管２４ｂの先端部が水栓２２に接続されている。水栓２１，２２には任意の温度の湯や水を取り出すための操作部が備わっており、取り出す湯や水の温度に応じて操作部を操作することにより任意の温度の湯や水を取り出すことができる。
【００３１】
配管立上げ構造２０は、図３に示したように構成されている。この配管立上げ構造２０は、給湯管２３に取り付けられたものも給水管２４に取り付けられたものも同じ構成であるため、ここでは、給湯管２３に取り付けた配管立上げ構造２０について説明する。配管立上げ構造２０は、給湯管２３と、給湯管２３の上端部に接続された継手２５との接続部の近傍部分を支持するとともに、固定するアダプター本体２７、係合リング２８、蓋部材２９、弾性シール部材３０およびワッシャー３１，３２を備えている。
【００３２】
アダプター本体２７、係合リング２８および蓋部材２９は、１組で１個のアダプター３３を構成する金属製の部材であり、アダプター本体２７と係合リング２８とで本発明の固定部材３４が構成される。アダプター本体２７は、洗い場側フロア１６の穴部１６ａに取り付けることができ、内部に給湯管２３を通すことのできる円筒状に形成されている。そして、アダプター本体２７の内周面の下端部には中心側に突出した係止用段部２７ａが設けられ、外周面のやや上部側部分には外側に突出したフランジ状の突部２７ｂが設けられている。
【００３３】
また、アダプター本体２７の外周面における上部側部分と下部側部分とには、それぞれ雄ねじ２７ｃ，２７ｄが設けられている。係合リング２８は、内周面に、雌ねじ２８ａが設けられたリング状に形成され、雌ねじ２８ａを雄ねじ２７ｄに螺合させることにより、アダプター本体２７の下端部に取り付けられる。アダプター本体２７を上方から穴部１６ａに通して、突部２７ｂを洗い場側フロア１６の上面に位置させた状態で、アダプター本体２７の下方から係合リング２８をアダプター本体２７に取り付けることによりアダプター本体２７と係合リング２８とからなる固定部材３４を穴部１６ａの周縁部に固定することができる。
【００３４】
この場合、洗い場側フロア１６の上面と突部２７ｂの下面との間には、リング状のパッキン３６ａを取り付け、洗い場側フロア１６の下面と係合リング２８の上面との間には、リング状のパッキン３６ｂを取り付ける。これによって、穴部１６ａの周縁部と固定部材３４との間が密閉状態になる。蓋部材２９は、内周面に雄ねじ２７ｃと螺合可能な雌ねじ２９ａが形成されたキャップ状に形成され、上面中央部に、給湯管２３を通すための挿通穴２９ｂが設けられている。
【００３５】
弾性シール部材３０は、伸縮可能で弾性を有する架橋ポリエチレンからなる複数の塊状体で構成されている。この弾性シール部材３０は、給湯管２３の周囲を囲った状態で、アダプター本体２７の内部に形成された空間部２７ｅ内に収容されており、アダプター本体２７に蓋部材２９を取り付ける際に、蓋部材２９によって係止用段部２７ａ側に押し付けられて圧縮された状態になる。また、弾性シール部材３０は、蓋部材２９の回転によって、給湯管２３の外周面およびアダプター本体２７の内周面に強く押し付けられる。この弾性シール部材３０によって、給湯管２３と蓋部材２９との間および給湯管２３とアダプター本体２７との間が密閉される。
【００３６】
そして、空間部２７ｅ内における係止用段部２７ａの上面と弾性シール部材３０との間には、リング状のワッシャー３１が設けられ、空間部２７ｅ内における蓋部材２９の下面と弾性シール部材３０との間には、リング状のワッシャー３２が設けられている。ワッシャー３１，３２は、ともに空間部２７ｅの平面形状（上から見た状態の形状）と同形の板体で構成されている。このワッシャー３１，３２によって、弾性シール部材３０にかかる圧力が均一な状態になる。
【００３７】
また、洗い場側フロア１６における給水管２４が設けられる部分にも穴部が設けられ、その穴部にアダプター本体２７や蓋部材２９等からなるアダプター３３と同一の構成からなるアダプター３５等が設けられている。このアダプター３５等によって給水管２４は起立した姿勢で固定される。
【００３８】
このように構成された配管立上げ構造２０の組み付けは、つぎのようにして行われる。まず、洗い場側フロア１６の穴部１６ａに固定部材３４を取り付けるための作業が行われる。この作業では、まず、洗い場側フロア１６の上面における穴部１６ａの周囲にパッキン３６ａを設置する。そして、そのパッキン３６ａの上面に突部２７ｂを合わせてアダプター本体２７の下部側部分を上方から穴部１６ａ内に通す。
【００３９】
つぎに、穴部１６ａの下方に突出したアダプター本体２７の下部側部分の外周部にパッキン３６ｂを取り付け、その状態のアダプター本体２７の下部側部分に、雄ねじ２７ｄと雌ねじ２８ａとを螺合させることにより、係合リング２８を取り付ける。この雄ねじ２７ｄと雌ねじ２８ａとを強く締め付けることにより、固定部材３４はより強固に洗い場側フロア１６に固定され、穴部１６ａの周縁部と固定部材３４との間はより確実に密閉される。
【００４０】
つぎに、加熱装置を介して水道管側から延ばされてきた給湯管２３の先端部をアダプター本体２７の内部に通して、洗い場側フロア１６の下方側から上方側に向かって突出させる。ついで、ワッシャー３１の穴部に給湯管２３の上端部を通し、ワッシャー３１をアダプター本体２７の内部に落下させる。これによって、ワッシャー３１は係止用段部２７ａの上面に設置される。そして、弾性シール部材３０を空間部２７ｅ内に収容し、ワッシャー３２の穴部に給湯管２３の上端部を通してワッシャー３２を弾性シール部材３０の上面に設置する。つぎに、蓋部材２９の挿通穴２９ｂに給湯管２３を通して、給湯管２３の外周部に蓋部材２９を取り付ける。
【００４１】
そして、蓋部材２９を軸回りに回転させて、雄ねじ２７ｃと雌ねじ２９ａとを螺合させることにより、蓋部材２９をアダプター本体２７に取り付け、給湯管２３の先端部に継手２５を取り付ける。この際、弾性シール部材３０は、雄ねじ２７ｃと雌ねじ２９ａとの螺合により下降してくる蓋部材２９によって、ワッシャー３２を介してワッシャー３１側に押し付けられて圧縮された状態になる。この圧縮された弾性シール部材３０によって、給湯管２３と蓋部材２９との間および給湯管２３とアダプター本体２７との間が密閉される。
【００４２】
このようにして、給湯管２３の上端部は、水漏れを防止された状態で起立した姿勢に固定される。また、給水管２４の上端部も、同様にして、洗い場側フロア１６に固定される。そして、給湯管２３に接続された継手２５にＴ型継手２６ａを介して、分岐給湯管２３ａ，２３ｂを接続し、給水管２４に接続された継手２５にＴ型継手２６ｂを介して分岐給水管２４ａ，２４ｂを接続する。これによって、水道管と水栓２１，２２との間が接続され、水栓２１，２２は使用可能な状態になる。
【００４３】
入浴のために、浴槽１２内に湯を入れる場合には、まず、水栓２１が備える各操作部を操作して湯温を調節して水栓２１から湯を吐出させる。そして、湯面が適当な高さになったときに給湯を停止して入浴する。また、カウンター１７の前で、洗髪や体の洗浄をするために、湯や水を使用する場合には、水栓２２が備える各操作部を操作して、適度の温度に調節した湯や水を、水栓２２から取り出して使用する。
【００４４】
その際、給湯管２３は、配管立上げ構造２０によって起立姿勢を維持され、加熱装置側から送られる湯を、Ｔ型継手２６ａを介して分岐給湯管２３ａ，２３ｂに送る。また、給水管２４も、配管立上げ構造２０によって起立姿勢を維持され、水道管側から分配装置を介して直接送られる水を、Ｔ型継手２６ｂを介して分岐給水管２４ａ，２４ｂに送る。この際、給湯管２３や給水管２４は湯や水の供給による振動で移動することなく安定した状態に固定され、湯や水を水栓２１，２２に供給する。また、配管立上げ構造２０から給湯管２３や給水管２４の湯水が漏れることが防止される。
【００４５】
このように、本発明にかかる配管立上げ構造２０では、蓋部材２９をアダプター本体２７に取り付ける際に、給湯管２３や給水管２４の外周面やアダプター本体２７の内周面に強く押し付けられるとともに、蓋部材２９と係止用段部２７ａとによって上下方向に押し付けられる弾性シール部材３０を用いている。これによって、給湯管２３と蓋部材２９との間および給湯管２３とアダプター本体２７との間が閉塞され、給湯管２３等とアダプター３３との間からの水漏れが防止される。また、洗い場側フロア１６の穴部１６ａは、固定部材３４とパッキン３６ａ，３６ｂによって閉塞されるため、この部分からの水漏れも防止される。
【００４６】
また、この場合の弾性シール部材３０の取り付けは、給湯管２３等とアダプター本体２７との間に形成された空間部２７ｅ内に弾性シール部材３０を入れて、アダプター本体２７に蓋部材２９を取り付けるだけであるため簡単であるとともに、施工によって水漏れ防止効果にばらつきが生じることがない。また、弾性シール部材３０の下端面と上端面にはそれぞれワッシャー３１，３２が設置されているため、弾性シール部材３０にかかる圧力が各部分で一定になる。これによってより良好なシールが可能になる。
【００４７】
さらに、弾性シール部材３０は、空間部２７ｅ内に収容された状態で、蓋部材２９と係止用段部２７ａとによって押し潰された状態で給湯管２３と蓋部材２９との間および給湯管２３とアダプター本体２７との間を閉塞するため、給湯管２３等の大きさに関係なくどのようなアダプター３３を用いても良好な水漏れ防止効果を発揮し得る。このため、アダプター３３を最大サイズの給湯管２３等に合わせて製造しておけば、アダプター３３は一種類の大きさのものだけで済む。
【００４８】
また、前述したワッシャー３１，３２としては、半円状のものを組み合わせることによりリング状に形成されるものを用いてもよい。これによると、給湯管２３等の上端部が長く上方に延びる場合には、半円状の各部分を別々に取り付けることができるようになるため、ワッシャー３１，３２の取り付けが行えるため、作業が容易になる。また、給湯管２３等をアダプター本体２７内に通す場合には、予め、給湯管２３等に継手２５を接続しておき、継手２５とともに給湯管２３等の上端部をアダプター本体２７内に通すこともできる。
【００４９】
（第２実施形態）
図４は、本発明の第２実施形態にかかる配管立上げ構造４０を示している。この配管立上げ構造４０では、塊状体からなる弾性シール部材３０に代えて、内部に空気が充填された中空のチューブからなる弾性シール部材４１が用いられている。この弾性シール部材４１は軟質ゴムで構成されている。この配管立上げ構造４０のそれ以外の部分の構成については、前述した配管立上げ構造２０と同一である。したがって同一部分に同一符号を記している。この配管立上げ構造４０では、弾性シール部材４１内の空気の空気圧によって、弾性シール部材４１が給湯管２３等の外周面やアダプター本体２７の内周面に密着して、給湯管２３等とアダプター３３との間を閉塞している。配管立上げ構造４０のそれ以外の作用効果については、前述した配管立上げ構造２０と同様である。
【００５０】
（第３実施形態）
図５は、本発明の第３実施形態にかかる配管立上げ構造５０を示している。この配管立上げ構造５０では、弾性シール部材５１が軟質ゴムからなる蛇腹状の円筒体で構成されている。この配管立上げ構造５０のそれ以外の部分の構成については、前述した配管立上げ構造２０，４０と同一である。したがって同一部分に同一符号を記している。この弾性シール部材５１は、加圧されることにより給湯管２３等の外周面やアダプター本体２７の内周面に密着して、給湯管２３等とアダプター３３との間を閉塞している。この配管立上げ構造５０のそれ以外の作用効果については、前述した配管立上げ構造２０，４０と同様である。
【００５１】
（第４実施形態）
図６は、本発明の第４実施形態に係る配管立上げ構造６０を示している。配管立上げ構造６０では、給湯管２３の上端部に連結された継手６１が、表面に凹凸を有する筒状体で構成され、継手６１の上端部が、上部配管（図示せず）を介してＴ型継手２６ａに接続されている。そして、給湯管２３における洗い場側フロア１６の上側に位置する上部２３ｃと、継手６１とが振れ止めカバー６２によって被覆された状態で支持されている。また、継手６１には、シール部材６３とＯリング６４とが設けられている。
【００５２】
継手６１は、ねじを螺合させることにより連結される複数の部材で構成されており、ねじ穴を有する上部部材６１ａと、上部部材６１ａのねじ穴に螺合するねじ棒を有する下部部材６１ｂとを備えている。そして、上部部材６１ａと下部部材６１ｂの大径部分との間に凹部６１ｃ（ねじ棒が露呈した部分）が形成されている。
【００５３】
振れ止めカバー６２は、図７および図８に示した略半円筒状部材６２ａを２個組み付けることによって構成されており、２個の略半円筒状部材６２ａの軸方向に沿った端面どうしを合わせて組み付けることにより略円筒状に形成されている。なお、図６は、一方の略半円筒状部材６２ａを取り外して振れ止めカバー６２内における給湯管２３の上部２３ｃと継手６１とを表面に現した状態を示しているが、説明の便宜上、振れ止めカバー６２としている。
【００５４】
略半円筒状部材６２ａの内面における上端部と上部側部分とには、半円フランジ状の突部６５ａ，６５ｂが設けられており、この突部６５ａ，６５ｂ間の所定部分には、補強リブ６６ａ，６６ｂが対向して形成されている。また、一対の略半円筒状部材６２ａの合わせ面（端面）における一方には、突部６５ａの端部から合わせ面の下端部にかけて幅の小さな突条６７ａが設けられている。そして、略半円筒状部材６２ａの両合わせ面における両外側縁部における上下部分にそれぞれ半円板状の突部６７ｂが外側に向って形成されている。
【００５５】
略半円筒状部材６２ａの一方の外側縁部に設けられた突部６７ｂには、それぞれ係合突部６８ａが設けられ、他方の外側縁部に設けられた突部６７ｂには、それぞれ係合突部６８ａと係合可能な係合凹部６８ｂが設けられている。そして、略半円筒状部材６２ａの内面における下端部には、半円フランジ状の小突起６５ｃが設けられており、この小突起６５ｃの中央部分に切欠き凹部６９が形成されている。また、蓋部材７１の上面には、振れ止めカバー６２に形成された状態の両略半円筒状部材６２ａが備える両小突起６５ｃの内側を通して振れ止めカバー６２内の下部に差し込むことができる本体部７２ａと、本体部７２ａの側面上部から外側に突出した突起７２ｂとからなる係合部７２が形成されている。突起７２ｂは、切欠き凹部６９内を挿通して軸回りに回転することにより小突起６５ｃと係合可能になっている。
【００５６】
また、シール部材６３はゴム製のシート体で構成されており、両略半円筒状部材６２ａ，６２ａの合わせ面に挟み込まれている。これによって、両略半円筒状部材６２ａ，６２ａの合わせ面から振れ止めカバー６２内への水の浸入を防止できる。Ｏリング６４は、ゴム製のリング体で構成されており、振れ止めカバー６２内における上部部材６１ａの上面と、突部６５ａの下面との間に設置されている。なお、Ｏリング６４とともに、又はＯリング６４に替えて継手６１に図示しないシール部材を巻きつける構成とすることも可能である。これによって、突部６５ａと下部部材６１ｂのねじ棒との間から振れ止めカバー６２内への水の浸入を防止できる。この配管立上げ構造６０のそれ以外の部分の構成については、前述した実施形態、例えば、配管立上げ構造２０と同一である。
【００５７】
このようにして構成された配管立上げ構造６０の組み付けは、つぎのようにして行われる。まず、前述した実施形態と同様にして、給湯管２３を、固定部材３４および蓋部材７１等を用いて洗い場側フロア１６に取り付け、その上端部に継手６１を取り付ける。つぎに、継手６１の下部部材６１ｂのねじ棒にＯリング６４を通して、上部部材６１ａの上面に位置させた状態で、一方の略半円筒状部材６２ａを蓋部材７１の上側に取り付ける。この場合、略半円筒状部材６２ａの突部６５ａ，６５ｂ間に、上部部材６１ａとＯリング６４とを位置させ、突部６５ｂと小突起６５ｃとの間に下部部材６１ｂの大径部分と給湯管２３の上部２３ｃを位置させる。
【００５８】
ついで、継手６１に取り付けられた略半円筒状部材６２ａにもう一方の略半円筒状部材６２ａを組み付ける。この場合、取り付けられた略半円筒状部材６２ａの両側端面にもう一方の略半円筒状部材６２ａの両側端面を一致させて双方を押し付ける。これによって、それぞれ対向する係合突部６８ａと係合凹部６８ｂとが係合して振れ止めカバー６２が組み立てられる。また、このとき上部部材６１ａとＯリング６４とは、両略半円筒状部材６２ａの突部６５ａ，６５ｂ間に位置決めされ、下部部材６１ｂの大径部分は、突部６５ｂと小突起６５ｃとの間に位置決めされる。
【００５９】
つぎに、振れ止めカバー６２を下方に押し下げて、切欠き凹部６９内に突起７２ｂを通過させ、振れ止めカバー６２を蓋部材７１の上面に設置する。そして、振れ止めカバー６２を軸回りに回転させて、蓋部材７１の突起７２ｂに、小突起６５ｃを係合させる。これによって、上部部材６１ａはＯリング６４を介して突部６５ａに押え付けられ、継手６１は、給湯管２３の上部２３ｃとともに振れ止めカバー６２によって被覆された状態で固定される。また、振れ止めカバー６２は、シール部材６３とＯリング６４とによって内部を密閉された状態で、蓋部材７１との係合を維持する。そして、継手６１の上部に上部配管を接続して、配管立上げ構造６０の組み付けが終了する。
【００６０】
これによると、給湯管２３や上部配管が不用意に振れたり上下に動いたりすることがなくなり、給湯管２３等に捩れや擦れが生じて亀裂が生じ漏水が発生するといったことが防止される。また、振れ止めカバー６２は、一対の略半円筒状部材６２ａで構成されているため、両略半円筒状部材６２ａをそれぞれ継手６１および給湯管２３の上部２３ｃの両側から挟むようにして取り付けることができる。このため、振れ止めカバー６２の取り付け作業が容易になる。
【００６１】
また、振れ止めカバー６２は、両略半円筒状部材６２ａの対向する係合突部６８ａと係合凹部６８ｂとを係合させることにより組み付けられて円筒状に形成されるため、振れ止めカバー６２の取り付けが容易で、かつ確実になる。さらに、シール部材６３とＯリング６４とによって、振れ止めカバー６２の止水性も確実になる。この配管立上げ構造６０のそれ以外の作用効果については、前述した各実施形態と同様である。
【００６２】
また、本発明による配管立上げ構造は、前述した実施形態以外についても技術的範囲内で適宜変更実施が可能である。例えば、前述した実施形態では、弾性シール部材３０を架橋ポリエチレンで構成し、弾性シール部材４１，５１を軟質ゴムで構成したが、この弾性シール部材３０等を構成する材料としては、クロロブレンゴムやエチレンプロピレンゴム等のゴムやその他の伸縮可能な弾性材料で構成することができる。また、前述した実施形態では、アダプター本体２７の下端部に係止用段部２７ａを設けているが、これに代えて、アダプター本体２７の内周面を、空間部２７ｅの上部側が広く、下部側が狭くなるような傾斜面に形成することができる。また、ワッシャー３１，３２は、どちらか一方だけを設けるようにしてもよいし、どちらも設けなくすることもできる。
【００６３】
さらに、前述した各弾性シール部材３０等における給湯管２３等やアダプター３３と接触する部分には、グリスなどの潤滑剤を塗布することができる。このグリスなどの潤滑剤は摩擦係数を低下させて弾性シール部材３０設置を容易にするためだけでなく、シール効果を向上させるために用いることもできる。また、配管立上げ構造６０では、振れ止めカバー６２を一対の略半円筒状部材６２ａで構成しているが、この振れ止めカバーを構成する部材は、２個に限らず３個以上の複数個にしてもよいし、単体のもので構成してもよい。
【００６４】
さらに、配管立上げ構造２０，４０，５０，６０を構成する各部材の材料や構造についても適宜変更実施が可能である。また、前述した実施形態では、配管立上げ構造２０等を浴室１０で使用しているが、本発明にかかる配管立上げ構造は、浴室に限らず、トイレ、洗面所、台所等の湯や水を使用する種々の場所で使用することができる。
【図面の簡単な説明】
【００６５】
【図１】本発明にかかる配管立上げ構造を備えた浴室を示した斜視図である。
【図２】本発明にかかる配管立上げ構造が取り付けられた浴槽とカウンターとを示した断面図である。
【図３】本発明の第１実施形態にかかる配管立上げ構造を示した断面図である。
【図４】本発明の第２実施形態にかかる配管立上げ構造を示した断面図である。
【図５】本発明の第３実施形態にかかる配管立上げ構造を示した断面図である。
【図６】本発明の第４実施形態にかかる配管立上げ構造を示した断面図である。
【図７】図６に示した配管立上げ構造が備える略半円筒状部材を示しており、（ａ）は平面図、（ｂ）は正面図、（ｃ）は底面図である。
【図８】図７（ｂ）の８−８断面図である。
【符号の説明】
【００６６】
１６…洗い場側フロア、１６ａ…穴部、２０，４０，５０，６０…配管立上げ構造、２１，２２…水栓、２３…給湯管、２４…給水管、２７…アダプター本体、２７ａ…係止用段部、２７ｅ…空間部、２７ｂ…突部、２８…係合リング、２９，７１…蓋部材、２９ｂ…挿通穴、３０，４１，５１…弾性シール部材、３１，３２…ワッシャー、３３，３５…アダプター、３４…固定部材、３６ａ，３６ｂ…パッキン、６１…継手、６１ａ…上部部材、６１ｂ…下部部材、６１ｃ…凹部、６２…振れ止めカバー、６２ａ…略半円筒状部材、６３…シール部材、６４…Ｏリング、６５ｃ…小突起、６５ａ，６５ｂ…突部、６５ｃ…小突起、６８ａ…係合突部、６８ｂ…係合凹部、７２…係合部、７２ｂ…突起。
【図１】
2005113665.tif 000003
【図２】
2005113665.tif 000004
【図３】
2005113665.tif 000005
【図４】
2005113665.tif 000006
【図５】
2005113665.tif 000007
【図６】
2005113665.tif 000008
【図７】
2005113665.tif 000009
【図８】
2005113665.tif 000010